(57)【要約】【課題】  空気吸入口をケース正面と底面に設け、ケース内でモータを水平に固定して、軸受の磨耗を防ぎ、ファンを垂直に回転させ、ケース上面の送風口から送風する携帯用送風機において、装着時衣服が正面空気吸入口を塞ぎ、空気の吸入ができない状態でも、送風が継続される携帯用送風機を提供する。【解決手段】  ケース２に設けた第１空気吸入口４内に、ファン６を軸着したモータ７を、水平に固定したブラケット８に固定する。前記ファン６を回転可能に覆うダクト１１を設け、前期ケース２の上面に送風口３と、底面に第二空気吸入口５を設ける。第二空気吸入口５には隔壁板１２を備えダクト１１に密接し、ケース２側面と底面に、固着している。上記構成により第１空気吸入口４より空気の吸入ができない状態でも第二空気吸入口５、から空気を吸入して送風が継続される携帯用送風機。【選択図】図１
2012007597.tif 000002
【特許請求の範囲】
【請求項１】
ケースの上面に送風口と、正面に第一空気吸入口と、底面に第二空気吸入口を設け、第一空気吸入口正面内に回転可能に設けたファンと、ファンを回転するモータと、モータを水平に固定するブラケットと、サドルと、モータを駆動する電池と、電気回路とを備えた電源部と、モータを制御する操作部と、外部電源接続部を設けたことを特徴とする携帯用送風機。
【請求項２】
前記ファンの翼端を回転可能に覆うダクトを設けたことを特徴とする請求項１記載の携帯用送風機。
【請求項３】
前記ケースの第二空気吸入口に隔壁板を設けたことを特徴とする請求項１記載の携帯用送風機。
【請求項４】
前記ケースには送風口と、第一空気吸入口と、第二空気吸入口を覆うグリルを設け、ベルトに掛止するクリップと、取っ手と、吊り紐を掛止する掛止部と、蒸れを防止する通気穴を設けたことを特徴とする請求項１記載の携帯用送風機。
【請求項５】
前記ケースを収納して使用するための携帯容器と、載置台とを設けたことを特徴とする請求項１、請求項２、請求項３、請求項４記載の携帯用送風機。
【発明の詳細な説明】
【技術分野】
【０００１】  本発明は屋外等で涼を取る携帯用送風機に関するものである。
【背景技術】
【０００２】  たとえば夏季の室内では、扇風機やクーラーを使用して、快適に生活や仕事をすることができる環境が整っている。
しかしながら屋外では、電源がない場所で扇風機やクーラーを使用することが出来ないため、扇子や団扇で涼を取ることは良く知られている。
これは屋外で上昇した体温を下げようとして発汗した身体に団扇等で風を当てて放熱し一時的に体温を下げている。
しかし、この方法では、人が手で団扇等を使用するごとに、仕事や活動を中止するので仕事等の能率を上げることは出来ない。
また連続して快適に涼を取ることも困難である。【０００３】  そのために、例えば図１１に示すような電池で駆動するモータＢでファンＣを回転させて送風する送風機が知られている。
衣服Ｄに係合したケースＡにファンＣを有するモータＢの回転軸を垂直に固定して、ファンＣを水平面上で回転させてケース底面から空気を吸入し、ケース上面の送風口より送風する携帯型送風装置（特許文献１参照）。
【先行技術文献】
【０００４】
【特許文献１】特開２００７−２３９６２５号公報
【発明の概要】
【発明が解決しようとする課題】
【０００５】  しかしながら夏季日本国内の気候は、高温高湿度であり、最近は地球温暖化の影響を受けさらに気温が上昇傾向にある。
屋外で使用するモータはこの過酷な環境で使用され、図１１に示す携帯型送風装置では、モータＢの回転軸が垂直状態のために軸受けの潤滑油が流失しやすく、軸受けの焼付きや磨耗の増加によりモータＢの寿命を短くしてしまう恐れがある。
また装着使用時にはケースＡが薄く身体から出っ張らないほうが使用しやすいが、ファンＣが水平面を回転している構造では、ファンＣの直径以下のケースＡ外形寸法にすることはできないのである。
この構造で装置の薄型化には、ファンＣの直径を小さくすることでありファンＣの直径を小さくすると送風量が減少してしまい冷却効果も失ってしまう事になる。
また上着の内側に携帯型送風装置を着用すると体感温度を更に涼しくすることができ、この場合にもケースＣが薄く身体から出っ張らないほうが使用しやすいのである。【０００６】  本発明は上記従来の携帯型送風装置の短所を解決し、屋外での作業やレジャー、熱中症対策などに常時携帯し、連続して快適に涼を取ることができる携帯用送風機である。
昨今省エネ、ＣＯ２削減のために家庭、オフイス、作業所等の冷房も弱く設定する傾向があり、屋外のみならず屋内で使用することも出来る実用的な携帯用送風機を安価に提供するものである。
【課題を解決するための手段】
【０００７】  前記目的を達成するために、請求項１の発明は、ケースの上面に送風口と、正面に第一空気吸入口と、底面に第二空気吸入口を設け、第一空気吸入口正面内に回転可能に設けたファンと、ファンを回転するモータと、モータを水平に固定するブラケットと、サドルと、モータを駆動する電池と、電気回路とを備えた電源部と、モータを制御する操作部と、外部電源接続部を設けたことを特徴とする携帯用送風機。
この構造によれば、ケースの上面に送風口と、正面に第一空気吸入口と、底面に第二空気吸入口を設ける。
第一空気吸入口正面内に設けたファンをモータ軸に軸着しモータを固定するブラケットを、ケース内面の両側面に水平に固定する。
前記ブラケットに固定されたモータの回転軸は水平で、回転軸に直結したファンは垂直面を回転する、このファンは軸流ファンを使用する。
電源部は乾電池、充電式電池どれでも使用できる電気回路と、モータの運転電気回路とを備え、外部電源接続部は充電用コネクタと、外部電源用コネクタを備える。
操作部は電源の入り、切りと、充電式電池の充電と、外部電源の使用と、モータの電源電圧とを選択する構成を採用した。【０００８】  請求項２の発明では、請求項１の発明において前記ファンの翼端を回転可能に覆うダクトを設けたことを特徴とする。
この構造によれば、ダクトは円筒状でファンの翼端を回転可能に覆いブラケットに固定する構成を採用した。【０００９】  請求項３の発明では、請求項１の発明において前記ケースの第二空気吸入口に隔壁板を設けたことを特徴とする。
この構造によれば、隔壁板は、ケース底面に第二空気吸入口を構成するもので略矩形状で、ダクトの外周に合せて略半円形状に凹状の切り欠き部を設けてあり、ダクトに密接している構成を採用した。【００１０】  請求項４の発明では、請求項１の発明において前記ケースには送風口と、第一空気吸入口と、第二空気吸入口を覆うグリルを設け、ベルトに掛止するクリップと、取っ手と、吊り紐を掛止する掛止部と、蒸れを防止する通気穴を設けたことを特徴とする。
この構造によれば、ケースの空気送風口と、各々の空気吸入口には手、指等がファンに接触して、けがをすることや、ファンに異物をかみ込むことを防止する通風可能なグリルを設け、携帯用送風機装着手段としてケース裏面に衣服やベルトに掛止するクリップを設け、携帯用送風機取扱いに便利な取っ手を、ケース両側面に固着または可動可能に設ける。
また首、肩から吊り紐等で掛止するためのフック掛け部をケース両側面、またはこの取っ手に設ける。
携帯用送風機使用時の、身体接触部分の蒸れを防止する通気穴をケース裏面とクリップに設ける構成を採用した。【００１１】  請求項５の発明では、請求項１、請求項２、請求項３、請求項４の発明における前記ケースを収納して使用するための携帯容器と、載置台とを設けたことを特徴とする。
この構造によれば、携帯容器は携帯用送風機装着手段として腰、腹部に装着するベルト付き容器である。
載置台は携帯用送風機を装着しないで使用するための置き台である構成を採用した。
【発明の効果】
【００１２】  本発明の携帯用送風機はモータの回転軸が水平に固定されるため、モータの回転軸が垂直に固定される構造のものに比較して軸受けの潤滑油が流出しにくく、軸受けの焼付きや磨耗の増加によりモータの寿命を短くしてしまう恐れがない。
そしてモータの回転軸に直結したファンは垂直面を回転するために、ケースの奥行き寸法をファンの直径寸法より短くできケースの薄型化が可能となるので、身体に装着しやすくなることを特徴とする。【００１３】  また上着の内側に携帯用送風機を着用すると、体感温度を更に涼しくすることができる。
この場合上着等が第一空気吸入口を塞ぎ、吸入量が減少もしくは吸入できない状態でも、
第二空気吸入口の空気を吸入し、送風が継続されることを特徴とする。
このことはケース内に備えたファンの翼端を回転可能に覆うダクトを設けたことにより、軸流ファンがファン軸と直角方向の、第二空気吸入口の空気を吸引し、送風することが出来るようになったのである。
そして隔壁板でケース底面が塞がれている為に、吸引した空気が、ケース上面の送風口から送風されるのである。
このことは構造が簡単で軽量な軸流ファンを使用することが出来るので、携帯用送風機を軽量で安価に提供することができる。【００１４】  ケースに設けた取っ手によって、携帯用送風機も身体装着以外での取扱いがしやすくなり、落下破損の危険も少なくなったのである。
この取っ手を設けたことで、携帯用送風機を上着の内側に着用すると、上着の下端をいちいち固定する手段がなくても、取っ手に上着が引っかかり、上着が舞い上がったり、ずれたりして送風口を塞ぐことが少なくなった。
携帯用送風機装着手段として、ケース裏面に設けたクリップで衣服やベルトに掛止する以外に首、肩より吊り紐でケースを掛止できるフック掛け部を、ケース側面または取っ手に備えているために、ベルトに掛止せずに携帯用送風機を装着使用することもできるのである。
また携帯用送風機装着時の身体接触部分は蒸れ易いが、蒸れを防止する通気穴を身体接触部分であるケース裏面や、クリップに設けたことで長時間蒸れずに快適に、携帯用送風機を使用できようになったのである。【００１５】  携帯容器は、携帯用送風機装着手段として腰、腹部に装着するベルト付きの携帯用送風機収納容器であり、ベルトを使わない衣服に対応して、装着することができるものである。
載置台は、携帯用送風機を装着しないで使用するための携帯用送風機置き台で、机上で使用するのに便利な構造を備えている。【００１６】  電源部は電源として乾電池と充電式電池どちらでも使用できる電気回路とモータの運転電気回路とを備えているので、通常は充電式電池を使い、電池切れのときは簡単に入手できる乾電池で急場をしのぐこともできる、そのためケースには電池フタを備えている。
充電式電池の充電は、ケースに設けた充電用コネクタに充電器コードを接続して簡単に行うことができる。
また携帯用送風機使用者は、操作部を操作して電源部の入り、切りと、充電式電池の充電と、外部電源の使用と、モータの電源電圧を選択してモータの回転数を変え送風量の調節ができるので、快適に望みの冷却効果を得ることができるのである。
【図面の簡単な説明】
【００１７】
【図１】  本発明の実施形態１を示す側面の断面図である。
【図２】  同上の正面の断面図である。
【図３】  同上の裏面図である。
【図４】  同上の斜視図である。
【図５】  同上のブラケットとダクトの組立て斜視図である。
【図６】  同上の使用状態を示す略図である。
【図７】  同上の使用状態を示す略図である。
【図８】  本発明の実施形態２を示す裏面図である。
【図９】  本発明の実施形態３を示す斜視図である。
【図１０】  本発明の実施形態４を示す略図である。
【図１１】  従来の携帯型送風装置の使用状態を示す略図である。
【発明を実施するための形態】
【実施形態１】
【００１８】  以下図面に従がって本発明の実施の形態を説明する。
図１乃至図５は本発明の第１実施例である。
図６、図７は第１実施例の使用説明図である。
立方体状ケース２図４の上面に送風口３を設け、ケース２の正面に第一空気吸入口４を設け、ケース２の底面に第二空気吸入口５を設け、モータ固定部材ブラケット８図５とサドル８ａ図２を設ける。
ブラケット８は両端をＬ字形に曲げた帯板状の形状を有し、両端のブラケットネジ穴８ｃをケース両側面内にネジで固定若しくはリベットで固定する、サドル８ａはモータの外形に合せたサドル状の形状にて、モータ７をブラケット８とサドル８ａで挟んでネジでサドルネジ穴８Ｂに固定するものである。
前記ブラケット８とケース２両側面との固定位置は、ファン６をモータ７軸に軸着したモータ７を、第一空気吸入口４の正面内側に水平に保持する位置とする図１、図２。
これによりモータ７は水平状態での使用となり、前記携帯型送風装置図１１、でモータＢを垂直状態で使用する場合より軸受けの潤滑油が流失しにくく、軸受けの磨耗も減少することになる。
そしてモータ７の回転軸に軸着したファン６は垂直面を回転するために、ケース２の奥行き寸法を、ファン６の直径寸法より短くできケース２の薄型化が可能となり、身体に装着しやすくなることを特徴とする。
本実施例で使用するファン６は多翼タイプを採用した。
前記ケース２を構成する材料は必要の強度を持つ合成樹脂、又は軽量の金属を使用するのが良い。
前記ブラケット８、サドル８ａの素材は熱伝導率の高いアルミニュウム等の金属がよい、モータ７の冷却を促進するためである。
【００１９】  ダクト１１は、円筒状でファン６の翼端を回転可能に覆い、ブラケット８に固定する構造である図５、ダクト１１とダクト固定部８ｄの固定方法はリベット、電子ビーム溶接等素材に適合した方法がよい。
ダクト１１をファン６に設けたことで、ケース２内でファン６がファン軸と直角方向の第二空気吸入口５の空気を吸引し送風することが出来るのである。
この他にダクト１１の形状として第二空気吸入口５内の空気吸入口部分をベルマウス状に滑らかな曲線に曲げて空気の吸入抵抗を減らす形状としても良い。
ダクト１１の素材もモータ７の冷却を促進するためにアルミニュウム等の金属がよい。
【００２０】  隔壁板１２図１は、ケース２底面に第二空気吸入口５を構成するものであり略矩形状で、ダクトの外周に合せて略半円形状に凹状の切り欠き部を設けてある、凹状の切り欠き部をダクト１１に密接して両端をケース２両側面内に固着し、ケース２の底面にも固着している。
ファン６で吸入した空気を隔壁板１２でケース２の底面を塞いでケース２の上面の送風口３から送風させる作用がある。隔壁板１２の素材はケース２と同じ素材を使用するのがよい。
【００２１】  前記ケース２の上面の送風口３と、第一空気吸入口４と、第二空気吸入口５には通風可能なグリル１３，１４，１５図４を設ける。
これは衣服を捲き込んで、手や指がファンに接触してけがをすることを防止することと、ファン６に異物をかみ込むことを防止するためのもので、グリルの形状は図４に示すものでなくてもよい。
ケース２上部に取っ手１７図４を設ける。
この取っ手１７は携帯用送風機運搬時の取っ手１７と、衣服が送風口３をふさがないための衣服押さえの機能を兼ね備えたものである。
取っ手１７は断面が円状、パイプ状、略矩形状等の素材をＵ字形状に成型し、ケース２上部両側面に固着する。
また取っ手１７の構造はこのほかに可動式や、上下スライド式（図示せず）でもよい。
取っ手１７にはフック掛け部１８図４を設ける。
取って部分に操作部をもうけてもよい。
前記取っ手の素材は必要の強度を持つ合成樹脂、又は軽量の金属を使用するのが良い。
衣服やベルトに携帯用送風機を掛止するクリップ１６図１、図３をケース２裏面に設ける。
クリップ１６は断面が略逆Ｕ字状の矩形であり先端部や角部は丸みを持たせ、衣服やベルトに掛止し易い形状で、弾性を有する合成樹脂、金属などの板材から成る。
前記クリップ１６表面には携帯用送風機装着使用時の蒸れを軽減するように通風可能な通気穴１９ａまたは小穴等を有してもよい。
またクリップ１６を設けたケース２裏面には携帯用送風機装着使用時の蒸れを軽減するように通気穴１９図３を設ける。
また携帯用送風機装着時の身体接触部分は蒸れ易いが、蒸れを防止する通気穴１９図３を身体接触部分であるケース裏面や、クリップに設けたことで長時間蒸れずに快適に、携帯用送風機を使用できようになったのである。
【００２２】  ケース２図１内に電源部９を備える、電源部内には電池ホルダ（図示せず）を備え、乾電池、充電式電池どれでも使用できる電気回路とモータ７の運転電気回路とを有する。
ケース２側面に電池交換用の蓋２０を備える。
電池交換用の蓋２０はケース２の裏面、底面でもよい。
外部電源接続部２１図４は充電式電池の充電用コネクタ２１ａと、外部電源用コネクタ２１ｂを備える。充電式電池を充電するには充電用のコネクタ２１ａに充電器コード（図示せず）を接続して、簡単に行うことができる。
本実施例で使用する充電式電池はニッケル水素電池を使用する。
リチュムイオン電池、その他の充電式電池を使用するのもよい。
【００２３】  操作部１０図２はケース２の操作しやすい場所に設け、本実施例では使用し易いように左右に分離してケース２の上面に設け、それぞれ操作部内のスィッチ１０ａ、スイッチ１０ｂを操作して携帯用送風機の操作をすることができる。
電源の入り、切りと、充電式電池の充電の選択はスイッチ１０ａを使用する。
スイッチ１０ｂはモータ７の電源電圧を選択してモータ７の回転数を２段階に変える送風量の調節と、外部電源用コネクタ２１ｂの使用の選択をする。
操作部１０にはＬＥＤランプ（図示せず）を備え操作状態を表示させ、またスイッチ操作時にブザー音を鳴らし、さらに見やすい場所に液晶等の表示器を備えても良い。
前記スイッチ１０ａは本実施例では単極双投スイッチを採用した、スイッチ１０ｂは３極ロータリースイッチを採用した。
押しボタンスイッチや、タクトスイッチ、とマイコン基板を組み合わせてもよい。
本実施例で使用する前記モータ７は、直流ブラシ付きモータを使用した。
さらに寿命の長い直流ブラシレスモータ、交流誘導モータ等を使用してもよい、その場合には使用モータに対応した運転電気回路を電源部９に設けるのがよい。
本実施例で使用する前記モータ７の運転電気回路には、直流昇圧回路を設け２種類の直流電圧を使用して、モータ７の回転数を２段階に調節できる回路を設けた。
前記モータ７の運転電気回路には、ＰＷＭ制御回路を使用して連続的に回転数を変える回路を採用してもよい。
【００２４】  図６は本発明の第１実施例の使用状態を示す略図である。
携帯用送風機のクリップ１６をベルトＥに掛止して使用する状態を図示している。
【００２５】  図７は本発明の第１実施例の使用状態を示す略図である。
携帯用送風機を首、肩などから吊り紐２４で掛止して使用する状態を図示している。
【実施形態２】
【００２６】  図８は本発明の第２実施例である。
携帯用送風機の構造は前記第１実施例と同じであるが図に示すようにクリップ１６ａ、通気穴１９ｂの形状が違うため、相違点を説明する。
衣服やベルトに携帯用送風機を掛止するクリップ１６ａをケース２裏面に設ける。
クリップ１６ａは断面がパイプ又は丸棒状の弾性を有する金属材又は合成樹脂材から成り、形状は略Ｕ字状の形状で、断面は略逆Ｕ字状に成形して衣服やベルトに掛止し易くしてあり、クリップ１６ａ装着による蒸れはクリップ１６より少なくなる形状である。
ケース２裏面の身体接触部分には、携帯用送風機装着使用時の蒸れを軽減するように、通風可能な通気穴１９図３を、ケース２裏面の強度が保てる範囲で大きくした通気穴１９ｂで、通気穴１９に比べて通気面積が増大し蒸れを軽減する効果も、増大するものである。通気穴、１９ｂの形状は円形や、その他の形状でもよい。
【実施形態３】
【００２７】  図９は本発明の第３実施例である。
携帯容器２２は、携帯用送風機装着手段として腰、腹部に装着するベルト付きの携帯用送風機収納容器であり、ベルトを使わない衣服に対応して、装着することができるものである。
収納部２２ａには正面に空気吸入口と底面に空気吸入口を設け，裏面に蒸れを防止する通気口を備え、携帯用送風機を収納する構造を備えている。
小物入れ２２ｂは小物入れである、ハンカチ等の小物を収納するのに便利である。
また長さを調節できるベルト２２ｃが、携帯容器２２に固定されている。
操作部１０はリモコン式として、ベルト２２ｃの操作し易い場所に止着するのもよい。
携帯容器２２の素材は布、合成繊維、皮、合成樹脂、金属等を選択使用するのがよい。
前記携帯容器２２は、携帯用送風機１と一体構造として作成するのもよい。
【実施形態４】
【００２８】  図１０は本発明の第４実施例である。
載置台２３は携帯用送風機を、装着しないで使用するための携帯用送風機置き台で、机上で使用するのに便利な構造を備えている。
基台２３ａと、支持棒２３ｂと、角度調節部２３ｃと、載置部２３ｄとからなる、角度調節部２３ｃは載置部２３ｄの仰角を調節するもので、支持棒２３ｂと載置部２３ｄをねじで締め付け固定する構造であるが他の方法でもよい。
前記載置台２３を使用するには実施形態２に示す携帯用送風機図８の、通気穴１９ｂからの送風を顔や身体に当てて涼を取ることができる。
外部電源接続部２１の外部電源用コネクタ２１ｂを使用して、携帯用送風機内臓の電池を使わないで運転することも出来る。
例えばパソコンのＵＳＢ電源を使用して、内臓の電池を使うことなく、携帯用送風機を運転することができ、また基台２３ａ内部に充電器を備えて充電電池の充電と、携帯用送風機を同時に運転すのもよい。
構成素材は合成樹脂、金属等を選択使用するのがよい。
【符号の説明】
【００２９】１  携帯用送風機
２  ケース
３  送風口
４  第一空気吸入口
５  第二空気吸入口
６  ファン
７  モータ
８  ブラケット
８ａ  サドル
８ｂ  サドルネジ穴
８ｃ  ブラケットネジ穴
８ｄ  ダクト固定部
９  電源部
１０  操作部
１０ａ  スイッチ
１０ｂ  スイッチ
１１  ダクト
１２  隔壁板
１３  グリル
１４  グリル
１５  グリル
１６  クリップ
１６ａ  クリップ
１７  取っ手
１８  フック掛け部
１９  通気穴
１９ａ  通気穴
１９ｂ  通気穴
２０  蓋
２１  外部電源接続部
２１ａ  充電用コネクタ
２１ｂ  外部電源用コネクタ
２２  携帯容器
２２ａ  収納部
２２ｂ  小物入れ
２２ｃ  ベルト
２３  載置台
２３ａ  基台
２３ｂ  支持棒
２３ｃ  角度調節部
２３ｄ  載置部
２４  吊り紐
Ａ  ケース
Ｂ  モータ
Ｃ  ファン
Ｄ  上着
Ｅ  ベルト
Ｆ  ズボン
Ｗ  気流
【図１】
2012007597.tif 000003
【図２】
2012007597.tif 000004
【図３】
2012007597.tif 000005
【図４】
2012007597.tif 000006
【図５】
2012007597.tif 000007
【図６】
2012007597.tif 000008
【図７】
2012007597.tif 000009
【図８】
2012007597.tif 000010
【図９】
2012007597.tif 000011
【図１０】
2012007597.tif 000012
【図１１】
2012007597.tif 000013